(57)【要約】【課題】ベルトに容易に装着することができるズボン吊りを提供すること。【解決手段】本発明では、長さ調節機構を介設した弾性バンドの両端部にズボンのベルトを保持するためのベルト保持体を形成し、ベルト保持体は、弾性バンドの先端部にベルトを吊り上げるための吊上片の基端部を起倒自在に連設するとともに、吊上片の先端部にベルトとズボンの間に係入させるための係入片を起倒自在に連設した。特に、前記長さ調節機構は、弾性バンドの下端部を折曲し、折曲部にベルト保持体を設けるとともに弾性バンドの中途部にリングを摺動自在に挿通し、リングの上方側から弾性バンドの下端を折曲した状態で挿通し、折曲部にストッパーを係入した。また、前記弾性バンドの中央部を首の後方に配置するとともに、弾性バンドの両側中途部を肩の前方に配置し、ズボンのベルトの腰から後方位置でベルトに前記ベルト保持体を装着した。【選択図】図７
2008208495.tif 000002
【特許請求の範囲】
【請求項１】
長さ調節機構を介設した弾性バンドの両端部にズボンのベルトを保持するためのベルト保持体を形成し、ベルト保持体は、弾性バンドの先端部にベルトを吊り上げるための吊上片の基端部を起倒自在に連設するとともに、吊上片の先端部にベルトとズボンの間に係入させるための係入片を起倒自在に連設したことを特徴とするズボン吊り。
【請求項２】
前記長さ調節機構は、弾性バンドの下端部を折曲し、折曲部にベルト保持体を設けるとともに弾性バンドの中途部にリングを摺動自在に挿通し、リングの上方側から弾性バンドの下端を折曲した状態で挿通し、折曲部にストッパーを係入したことを特徴とする請求項１に記載のズボン吊り。
【請求項３】
前記弾性バンドの中央部を首の後方に配置するとともに、弾性バンドの両側中途部を肩の前方に配置し、ズボンのベルトの腰から後方位置でベルトに前記ベルト保持体を装着したことを特徴とする請求項１又は請求項２に記載のズボン吊り。
【発明の詳細な説明】
【技術分野】
【０００１】
本発明は、ズボン吊りに関するものであり、特に、ズボンのベルトに装着して使用するズボン吊りに関するものである。
【背景技術】
【０００２】
従来より、ズボンがずれ落ちるのを防止するために、ベルトやサスペンダーが広く利用されている。
【０００３】
一般的には、ベルトが多用されているが、ベルトは腹部を締め付けることでズボンを吊り上げているために、腹部の圧迫感があり、特に肥満体質の者にとっては使用感が良好なものではなかった。
【０００４】
そのため、ベルトに変わるものとして、肩から掛けたバンドの先端に挟持体を形成し、挟持体でズボンの上端を挟持することでズボンを吊下げるサスペンダーも利用されている（たとえば、特許文献１参照。）。
【０００５】
【特許文献１】特開２００５−２５６２５７号公報
【発明の開示】
【発明が解決しようとする課題】
【０００６】
ところが、上記従来のサスペンダーでは、一般的にベルトを装着することを前提に作成されているズボンに適用した場合に、ベルトが装着されていないことによる違和感があり、特に、ベルトを愛用してきた者にとってはだらしなく感じてしまい、使用感が良好なものとは言えなかった。
【０００７】
また、手先の細かな動作が不得手な者にとっては、サスペンダーの挟持体でズボンの上端を挟持することが困難であり、使い勝手があまり良好なものではなかった。
【課題を解決するための手段】
【０００８】
そこで、請求項１に係る本発明では、ズボンがずれ落ちるのを防止するためのズボン吊りにおいて、長さ調節機構を介設した弾性バンドの両端部にズボンのベルトを保持するためのベルト保持体を形成し、ベルト保持体は、弾性バンドの先端部にベルトを吊り上げるための吊上片の基端部を起倒自在に連設するとともに、吊上片の先端部にベルトとズボンの間に係入させるための係入片を起倒自在に連設することにした。
【０００９】
また、請求項２に係る本発明では、前記請求項１に係る本発明において、前記長さ調節機構は、弾性バンドの下端部を折曲し、折曲部にベルト保持体を設けるとともに弾性バンドの中途部にリングを摺動自在に挿通し、リングの上方側から弾性バンドの下端を折曲した状態で挿通し、折曲部にストッパーを係入することにした。
【００１０】
また、請求項３に係る本発明では、前記請求項１又は請求項２に係る本発明において、前記弾性バンドの中央部を首の後方に配置するとともに、弾性バンドの両側中途部を肩の前方に配置し、ズボンのベルトの腰から後方位置でベルトに前記ベルト保持体を装着することにした。
【発明の効果】
【００１１】
そして、本発明では、以下に記載する効果を奏する。
【００１２】
すなわち、本発明では、ズボンにベルトを緩めに装着した状態でズボン吊りを使用することができるために、ベルトが装着されていないことによる違和感を生じさせることがなく、ベルトを愛用してきた者にとっても使用感を良好なものとすることができる。
【００１３】
特に、請求項１に係る本発明では、長さ調節機構を介設した弾性バンドの両端部にズボンのベルトを保持するためのベルト保持体を形成し、ベルト保持体は、弾性バンドの先端部にベルトを吊り上げるための吊上片の基端部を起倒自在に連設するとともに、吊上片の先端部にベルトとズボンの間に係入させるための係入片を起倒自在に連設することにしているために、ベルト保持体の吊上片と係入片とを起立させて、ベルト保持体の係入片をベルトとズボンの間に係入すれば、ベルトにズボン吊りを装着することができ、使い勝手を良好なものとすることができる。
【００１４】
また、請求項２に係る本発明では、長さ調節機構は、弾性バンドの下端部を折曲し、折曲部にベルト保持体を設けるとともに弾性バンドの中途部にリングを摺動自在に挿通し、リングの上方側から弾性バンドの下端を折曲した状態で挿通し、折曲部にストッパーを係入することにしているために、使用時に弾性バンドに引張力が生じてもストッパーとリングで弾性バンドの中途部を挟持して弾性バンドの長さが変わってしまうのを防止することができる。
【００１５】
また、請求項３に係る本発明では、弾性バンドの中央部を首の後方に配置するとともに、弾性バンドの両側中途部を肩の前方に配置し、ズボンのベルトの腰から後方位置でベルトにベルト保持体を装着することにしているために、肩の前方に配置した弾性バンドの両側中途部が後方に向けて引張されることになり、両肩を左右に開いて胸を張った姿勢に矯正することができる。
【発明を実施するための最良の形態】
【００１６】
以下に、本発明に係るズボン吊りの具体的な構成について図面を参照しながら説明する。
【００１７】
図１及び図２に示すように、ズボン吊り１は、ズボン２のベルト３に両端部を装着するとともに、首に中途部を掛けて使用する。
【００１８】
このズボン吊り１は、弾性バンド４の両端部にズボン２のベルト３を保持するためのベルト保持体5,5を形成するとともに、弾性バンド４の両端部に長さ調節機構6,6を介設している。
【００１９】
ベルト保持体５は、図３〜図５に示すように、弾性バンド４の下端部をＵ字状に折曲させて折曲部７を形成するとともに、折曲部７に矩形リング状の吊上片８を回動自在に挿通し、吊上片８に矩形板状の係入片９を回動自在に装着している。
【００２０】
ここで、吊上片８は、使用時にベルト３を上方へ吊上げる役割を果たし、また、係入片９は、使用時にベルト３とズボン２との間に係入される役割を果たすものとなっている（図６及び図７参照。）。
【００２１】
これにより、ベルト保持体５は、弾性バンド４の先端部にベルト３を吊り上げるための吊上片８の基端部を起倒自在に連設するとともに、吊上片８の先端部にベルト３とズボン２の間に係入させるための係入片９を起倒自在に連設した構造となっている。
【００２２】
そのため、ズボン吊り１では、吊上片８と係入片９とを起立させるとともに係入片９をベルト３とズボン２の間に係入するだけでベルト３にズボン吊り１を容易に装着することができ、使い勝手を良好なものとすることができる。
【００２３】
長さ調節機構６は、図３〜図５に示すように、弾性バンド４の中途部にリング10を弾性バンド４に沿って摺動自在に挿通し、リング10の上方側から弾性バンド４の下端をＵ字状に折曲した状態で挿通し、折曲部11にストッパー12を係入し、さらに、リング10の上方で弾性バンド４をＵ字状に折曲し、折曲部13をリング10に巻き付けるようにしている。
【００２４】
そのため、ズボン吊り１では、使用時に弾性バンド４に引張力が生じても、ストッパー12とリング10で弾性バンド４の中途部を屈曲させた状態で挟持して、弾性バンド４の長さが変わってしまうのを防止することができる。
【００２５】
そして、上記構成のズボン吊り１では、図６及び図７に示すように、長さ調節機構６で弾性バンド４の長さを適宜調節し、ベルト保持体５の吊上片８を弾性バンド４に対して内側に９０度起立させるとともに、係入片９を吊上片８に対して内側に９０度起立させて、弾性バンド４の両端を略Ｊ字状に形成し、ベルト３とズボン２との間に係入片９を差し込むことによって、ベルト３に装着することができる。
【００２６】
このように、上記構成のズボン吊り１は、ズボン２にベルト３を付けた状態で装着することができるので、ズボン２にベルト３を緩めに装着した状態でズボン吊り１を使用することができ、ベルト３が装着されていないことによる違和感を生じさせることがなく、ベルト３を愛用してきた者にとっても使用感を良好なものとすることができる。
【００２７】
上記構成のズボン吊り１では、ベルト保持体５のベルト３への装着位置は特に限定されるものではないが、特に図１及び図２に示すように、弾性バンド４の中央部を首の後方に配置するとともに、弾性バンド４の両側中途部を肩の前方に配置し、ズボン２のベルト３の腰から後方位置でベルト３にベルト保持体５を装着した場合には、肩の前方に配置した弾性バンド４の両側中途部が後方に向けて引張されることになり、両肩を左右に開いて胸を張った姿勢に矯正することができ、ズボン吊り１を姿勢矯正具として機能させることができる。
【図面の簡単な説明】
【００２８】
【図１】ズボン吊りの使用状態を示す正面図。
【図２】同背面図。
【図３】ベルト保持体及び長さ調節機構を示す正面図。
【図４】同側面図。
【図５】同断面図。
【図６】ベルト保持体及び長さ調節機構の使用状態を示す正面図。
【図７】同側面図。
【符号の説明】
【００２９】
１  ズボン吊り                          ２  ズボン
３  ベルト                              ４  弾性バンド
５  ベルト保持体                        ６  長さ調節機構
７  折曲部                              ８  吊上片
９  係入片                              10  リング
11  折曲部                              12  ストッパー
13  折曲部
【図１】
2008208495.tif 000003
【図２】
2008208495.tif 000004
【図３】
2008208495.tif 000005
【図４】
2008208495.tif 000006
【図５】
2008208495.tif 000007
【図６】
2008208495.tif 000008
【図７】
2008208495.tif 000009